(57)【要約】【課題】一回の動作で簡単に開封できるとともに、リクローズの際にごみが発生せず、また内容物を容易に取り出すことができる広口の密封容器を提供する。【解決手段】密封容器１０は、一側が開口し、他側が密閉された柔軟性材料からなる容器本体１１と、容器本体１１の一側開口１１ａに接着されるとともに容器本体１１と別体に設けられ、容器本体１１の一側開口１１ａの形状を定める硬質材料からなる保形リング１２とを備えている。また、キャップ１３は保形リング１２に嵌合するキャップ本体１３ｂと、キャップ本体１３ｂと保形リング１２との間に介在された中蓋１３ｃとを有している。この中蓋１３ｃは、保形リング１２の開口全域を覆う上面部１３ｍと、上面部１３ｍからキャップ本体１３ｂ外方へ突出する突出部１３ｎとを有している。【選択図】図１
2008062948.tif 000002
【特許請求の範囲】
【請求項１】
一側が開口し、他側が密閉された柔軟性材料からなる容器本体と、
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに嵌合するキャップ本体と、キャップ本体と保形リングとの間に介在された中蓋とを有し、
この中蓋は、保形リングの開口全域を覆う上面部と、上面部からキャップ本体外方へ突出する突出部とを有することを特徴とする密封容器。
【請求項２】
保形リングは垂直断面Ｌ字形状を有し、このＬ字形状は、容器本体内面側の垂直部と、この垂直部から外方へ突出する水平部とからなることを特徴とする請求項１に記載の密封容器。
【請求項３】
保形リングの垂直部の下端内側に、垂直部の内径が下方に向って拡大するテーパー部が形成されていることを特徴とする請求項２に記載の密封容器。
【請求項４】
保形リングの垂直部は、０．３ｍｍ乃至２．０ｍｍの肉厚を有することを特徴とする請求項２に記載の密封容器。
【請求項５】
容器本体の開口は、円形状または楕円形状をなしていることを特徴とする請求項１に記載の密封容器。
【請求項６】
キャップのキャップ本体は、保形リングの水平部を側方から覆う囲み部を有し、この囲み部内側に、保形リングの水平部と嵌合する突起部が設けられていることを特徴とする請求項２に記載の密封容器。
【請求項７】
キャップの中蓋の上面部は、キャップのキャップ本体の下面に接着されていることを特徴とする請求項１に記載の密封容器。
【請求項８】
キャップの中蓋の上面部は、感熱型の粘着材またはホットメルトによりキャップのキャップ本体の下面に接着されていることを特徴とする請求項７に記載の密封容器。
【請求項９】
キャップの中蓋は、アルミニウムを含む多層フィルム構造となっており、最内層は、キャップの開封時に破断する材料からなることを特徴とする請求項１に記載の密封容器。
【請求項１０】
キャップのキャップ本体は、曲げ弾性率が８００ＭＰａ以下の合成樹脂からなることを特徴とする請求項１に記載の密封容器。
【請求項１１】
容器本体の一側開口に接着されるとともに容器本体と別体に設けられ、容器本体の一側開口の形状を定める硬質材料からなる保形リングと、
保形リングに装着され、容器本体の一側開口を密封するキャップとを備え、
キャップは保形リングに嵌合するキャップ本体と、キャップ本体と保形リングとの間に介在された中蓋とを有し、
この中蓋は、保形リングの開口全域を覆う上面部と、上面部からキャップ本体外方へ突出する突出部とを有することを特徴とするキャップ装置。
【発明の詳細な説明】
【技術分野】
【０００１】
本発明は、飲料やジェル状液体等の内容物が充填される密封容器およびこの密封容器のキャップ装置に係り、とりわけ一回の動作で簡単に開封できるとともに、リクローズ（キャップを再度容器本体に被せること）の際にごみが発生しない広口の密封容器およびキャップ装置に関する。
【背景技術】
【０００２】
従来より、飲料等の内容物を密封して収容する容器が広く用いられている。このような容器は、一般に、容器本体に蓋材をヒートシールにより固着し、この蓋材の上方からオーバーキャップを打栓することにより製造されている。
【０００３】
このような容器は、上述したように容器本体、蓋材、およびオーバーキャップからなる３つの部材から構成されている。したがって、この容器を開封する際には、まずオーバーキャップを外し、次に蓋材を開封するという２段階の操作が必要となる。一方、容器の開封後、容器の内容物を残してリクローズ（キャップを再度容器本体に被せること）する場合、オーバーキャップを直接容器本体に被せて取り付ける。この場合、蓋材を再度容器本体に取り付けることができないため、蓋材はごみとして廃棄される。
【０００４】
また、特許文献１には、飲食物等の内容物を収容する容器（シールガゼット袋）が開示されている。この容器は、上部中央に反復して開閉可能な注出口を有しており、この注出口から内容物を吸い出すことが出来るようになっている。しかしながら、このような注出口は比較的直径が狭いため、内容物に固形分を多く含む場合など、内容物を十分に吸い出せない場合がある。
【特許文献１】特開平１０−５９３８８号公報
【発明の開示】
【発明が解決しようとする課題】
【０００５】
本発明はこのような点を考慮してなされたものであり、一回の動作で簡単に開封できるとともに、リクローズの際にごみが発生せず、また内容物を容易に取り出せる広口の密封容器およびキャップ装置を提供することを目的とする。
【課題を解決するための手段】
【０００６】
本発明は、一側が開口し、他側が密閉された柔軟性材料からなる容器本体と、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに嵌合するキャップ本体と、キャップ本体と保形リングとの間に介在された中蓋とを有し、この中蓋は、保形リングの開口全域を覆う上面部と、上面部からキャップ本体外方へ突出する突出部とを有することを特徴とする密封容器である。
【０００７】
本発明は、保形リングは垂直断面Ｌ字形状を有し、このＬ字形状は、容器本体内面側の垂直部と、この垂直部から外方へ突出する水平部とからなることを特徴とする密封容器である。
【０００８】
本発明は、保形リングの垂直部の下端内側に、垂直部の内径が下方に向って拡大するテーパー部が形成されていることを特徴とする密封容器である。
【０００９】
本発明は、保形リングの垂直部は、０．３ｍｍ乃至２．０ｍｍの肉厚を有することを特徴とする密封容器である。
【００１０】
本発明は、容器本体の開口は、円形状または楕円形状をなしていることを特徴とする密封容器である。
【００１１】
本発明は、キャップのキャップ本体は、保形リングの水平部を側方から覆う囲み部を有し、この囲み部内側に、保形リングの水平部と嵌合する突起部が設けられていることを特徴とする密封容器である。
【００１２】
本発明は、キャップの中蓋の上面部は、キャップのキャップ本体の下面に接着されていることを特徴とする密封容器である。
【００１３】
本発明は、キャップの中蓋の上面部は、感熱型の粘着材またはホットメルトによりキャップのキャップ本体の下面に接着されていることを特徴とする密封容器である。
【００１４】
本発明は、キャップの中蓋は、アルミニウムを含む多層フィルム構造となっており、最内層は、キャップの開封時に破断する材料からなることを特徴とする密封容器である。
【００１５】
本発明は、キャップのキャップ本体は、曲げ弾性率が８００ＭＰａ以下の合成樹脂からなることを特徴とする密封容器である。
【００１６】
本発明は、容器本体の一側開口に接着されるとともに容器本体と別体に設けられ、容器本体の一側開口の形状を定める硬質材料からなる保形リングと、保形リングに装着され、容器本体の一側開口を密封するキャップとを備え、キャップは保形リングに嵌合するキャップ本体と、キャップ本体と保形リングとの間に介在された中蓋とを有し、この中蓋は、保形リングの開口全域を覆う上面部と、上面部からキャップ本体外方へ突出する突出部とを有することを特徴とするキャップ装置である。
【発明の効果】
【００１７】
本発明によれば、キャップ本体と中蓋とが一体に構成されているので、容器本体内の内容物を取り出す際、一回の動作で簡単に密封容器を開封できる。また、密封容器がキャップ本体と中蓋とが一体に構成されているので、リクローズの際にもごみが発生しない。
【００１８】
また、本発明によれば、保形リングは、容器本体内面側の垂直部と、この垂直部から外方へ突出する水平部とからなっているので、保形リング内部に突出する箇所が存在せず、容器本体から内容物を容易に取り出すことができる。
【００１９】
さらに、本発明によれば、保形リングの垂直部の下端内側に垂直部の内径が下方に向って拡大するテーパー部が形成されているので、保形リング内部に突出する箇所が存在せず、容器本体から内容物を容易に取り出すことができる。
【００２０】
さらにまた、本発明によれば、キャップ本体の囲み部内側に保形リングの水平部と嵌合する突起部が設けられているので、キャップを保形リングに取り付けて密封容器をリクローズすることができる。
【００２１】
さらにまた、本発明によれば、キャップの中蓋の上面部は、キャップ本体の下面に接着されているので、キャップ本体と中蓋とが一体となっており、キャップを容器本体に被せてリクローズする際に、中蓋をごみとして廃棄する必要がない。
【００２２】
さらにまた、本発明によれば、キャップの中蓋は、多層フィルム構造となっており、最内層は、キャップの開封時に破断する材料からなっているので、容器本体内の内容物を取り出す際、密封容器を簡単に開封することができる。
【００２３】
さらにまた、本発明によれば、キャップの中蓋は、アルミニウムを含む多層フィルム構造となっているので、内容物の密封性やバリアー性を高めることができ、内容物を外部から保護して内容物の腐敗を防止することができる。
【００２４】
さらにまた、本発明によれば、キャップのキャップ本体は、曲げ弾性率が８００ＭＰａ以下の合成樹脂からなっているので、キャップを保形リングから容易に取り外すことができる。
【発明を実施するための最良の形態】
【００２５】
以下、本発明の一実施の形態について、図１乃至図５を参照して説明する。
ここで、図１は、本発明の一実施の形態を示す斜視図であり、図２は、本発明の一実施の形態を示す垂直断面図である。また、図３は、図２のＡ部拡大図であり、図４は、キャップを取り外した状態における容器本体および保形リングの斜視図である。また、図５は、キャップの内部構造を示す概略断面図である。
【００２６】
まず、図１乃至図５により、本実施の形態による密封容器の概略について説明する。
図１、図２および図４に示すように、密封容器１０は、一側が開口し、他側が密閉された（符号１１ｂ）柔軟性材料からなる容器本体１１と、容器本体１１の一側開口１１ａに接着されるとともに容器本体１１と別体に設けられ、容器本体１１の一側開口１１ａの形状を定める円筒状の保形リング１２とを備えている。
【００２７】
なお、保形リング１２は、後述のように、容器本体１１と比較して硬質材料から形成されている。また、容器本体１１の開口１１ａは、円形状または楕円形状をなしている。また、保形リング１２に、容器本体１１の一側開口１１ａを密封するキャップ１３が装着されている。このキャップ１３は保形リング１２に嵌合するキャップ本体１３ｂと、キャップ本体１３ｂと保形リング１２との間に介在された中蓋１３ｃとを有している。このうち中蓋１３ｃは、保形リング１２の開口全域を覆う上面部１３ｍと、上面部１３ｍからキャップ本体１３ｂ外方へ突出する突出部１３ｎとを有している。
【００２８】
また、図２に示すように、保形リング１２とキャップ１３とを組合わせてキャップ装置１４が構成される。このキャップ装置１４において、保形リング１２およびキャップ１３の構成は、密封容器１０における保形リング１２およびキャップ１３の構成と同様である。
【００２９】
ところで、図３に示すように、保形リング１２は垂直断面Ｌ字形状を有している。この保形リング１２のＬ字形状は、容器本体１１内面側の垂直部１２ａと、この垂直部１２ａから外方へ突出する水平部１２ｂとからなっている。保形リング１２の垂直部１２ａは、容器本体１１の一側開口１１ａの内周面に全周にわたって固着されている。さらに、保形リング１２の垂直部１２ａの下端内側に、垂直部１２ａの内径が下方に向って徐々に拡大するテーパー部１２ｃが形成されている。このテーパー部１２ｃは、容器本体１１内から内容物を取り出す際、保形リング１２の垂直部１２ａ下端に内容物が引っ掛かるのを防止する役割を果たす。
【００３０】
なお、保形リング１２は、上述したように容器本体１１と比較して硬質の材料からなっているが、保形リング１２を押圧して内容物を取り出せる程度に柔軟性を有している。
【００３１】
さらに、保形リング１２の垂直部１２ａは、０．３ｍｍ乃至２．０ｍｍの肉厚Ｗを有することが好ましい。この肉厚Ｗが０．３ｍｍを下回ると、垂直部１２ａの強度が不足する。他方、肉厚Ｗが２．０ｍｍを上回ると、保形リング１２が硬くなり、容器本体１１および保形リング１２を押圧して容器本体１１内の内容物を取り出すのが難しくなる。
【００３２】
このような構成からなる容器本体１１の具体的層構成としては以下のものが考えられる。
（１）ＰＥ層／ＰＥＴ層／インキ層／ドライラミネート層（ＤＬ）／アルミニウム層（ＡＬ）／ＰＥ層
（２）ＰＥ層／透明蒸着ＰＥＴ層／ＰＥ層
また、保形リング１２は、容器本体１１最内層と同一の種類の樹脂、例えばポリエチレン（ＰＥ）からなっている。
【００３３】
図３に示すように、キャップ１３のキャップ本体１３ｂは、保形リング１２の水平部１２ｂを側方から覆う囲み部１３ｋを含み、この囲み部１３ｋの内側に、保形リング１２の水平部１２ｂと嵌合する突起部１３ａが設けられている。
【００３４】
また、キャップ本体１３ｂは、曲げ弾性率が８００ＭＰａ以下、好ましくは３００ＭＰａ以下の比較的柔軟な合成樹脂、例えばプライムポリマー社製Ｊ−５９１０（商品名）等の軟質ＰＰ樹脂、低密度ポリエチレン樹脂（以下ＬＤＰＥともいう）、または直鎖状低密度ポリエチレン樹脂（以下ＬＬＤＰＥともいう）からなっている。
【００３５】
ところで図５に示すように、キャップ１３の中蓋１３ｃは複数の層１３ｅ、１３ｆ、１３ｇが互いに積層された多層フィルム構造からなっている。このうち最内層１３ｇは、イージーピールフィルム等のキャップ１３の開封時に破断する材料からなっており、キャップ１３の開封時にその一部が剥離して保形リング１２側に残るようになっている。また、最内層１３ｇの上方に、例えばアルミニウム箔からなる層１３ｆ、および例えばＰＥＴからなる層１３ｅがこの順で積層されている。また、各層１３ｅ、１３ｆ、１３ｇの間に、それぞれ各層を接着する例えばドライラミネート層（ＤＬ）のような接着層１３ｈが設けられている。
【００３６】
また、図５に示すように、キャップ１３の中蓋１３ｃの上面部１３ｍは、感熱型の粘着材またはホットメルト（ＨＭ）の層１３ｊを介してキャップ１３のキャップ本体１３ｂの下面に接着されている。なお、このホットメルト（ＨＭ）としては、例えばヒロダインＳＴＥ−２１１（商品名）等のＥＶＡ樹脂系のものが用いられる。
【００３７】
また、中蓋１３ｃの最内層１３ｇは、図３の符号１５の位置で、保形リング１２の水平部１２ｂにヒートシールにより固着されている。この場合、中蓋１３ｃの最内層１３ｇは、円周方向全周に延びるヒートシール部１５において保形リング１２に固着されているため、保形リング１２とキャップ１３との密封性を高めることができる。
【００３８】
なお、中蓋１３ｃは、上述した３つの層１３ｅ、１３ｆ、１３ｇが互いに積層された多層フィルム構造を有しているが、これに代えて４つの層が互いに積層された多層フィルム構造としても良い。
【００３９】
すなわち、中蓋１３ｃの具体的層構成としては以下のものが考えられる。
（１）ＰＥＴ／ＡＬ／イージーピールフィルム
（２）ＰＥＴ／ＡＬ／ＰＥ／ホットメルト（ＨＭ）
【００４０】
次に、このような構成からなる本実施の形態の作用について述べる。
まず、密閉容器１０において、キャップ１３の中蓋１３ｃの突出部１３ｎを引上げることによりキャップ１３が容器本体１１側の保形リング１２から取外され、密封容器１０が開封される。この際、ヒートシールにより固着されたキャップ１３の中蓋１３ｃの最内層１３ｇは、ヒートシール部１５を介して円周方向全周に渡って保形リング１２の水平部１２ｂに堅固に固着されているため、最内層１３ｇは、そのヒートシール部１５近傍の一部が他の部分から剥離する。この場合、最内層１３ｇの剥離された部分は保形リング１２の水平部１２ｂ側に残り、最内層１３ｇの他の部分はキャップ１３とともに保形リング１２から離れる。これにより、キャップ１３は保形リング１２から引き離される。この間、キャップ１３のキャップ本体１３ｂは、感熱型の粘着材またはホットメルト（ＨＭ）の層１３ｊを介してキャップ１３の中蓋１３ｃと比較的強く固着されているため、キャップ本体１３ｂと中蓋１３ｃとが互いに外れることはない。また、保形リング１２の垂直部１２ａは容器本体１１の外面と比較的強く固着されているため、保形リング１２が容器本体１１から外れることはない。
【００４１】
次に、容器本体１１の側面を手で押圧することにより、容器本体１１の一側開口１１ａから内容物を取り出す。この際、保形リング１２も変形して内容物を容易に取り出すことができる。また、仮に容器本体１１内に内容物の一部が残存している場合、キャップ１３を保形リング１２に被せてリクローズし、内容物を保存することができる。この場合、キャップ１３を保形リング１２に被せると、保形リング１２の水平部１２ｂがキャップ１３の突起部１３ａと嵌合する。これにより、キャップ１３が保形リング１２に取り付けられ、密閉容器１０をリクローズすることができる。
【００４２】
このように、本実施の形態によれば、密封容器１０はキャップ本体１３ｂと中蓋１３ｃとが一体に構成されているので、容器本体１１内の内容物を取り出す際、一回の動作で簡単に密封容器１０を開封できる。また、密封容器１０をリクローズする際にごみが発生しないようにすることができる。
【００４３】
また、本実施の形態によれば、保形リング１２は、容器本体１１内面側の垂直部１２ａと、この垂直部１２ａから外方へ突出する水平部１２ｂとからなっているので、保形リング１２内部に突出する箇所が存在せず、容器本体１１から内容物を容易に取り出すことができる。
【００４４】
さらに、本実施の形態によれば、保形リング１２の垂直部１２ａの下端内側に、垂直部１２ａの内径が下方に向って拡大するテーパー部１２ｃが形成されているので、容器本体１１から内容物を容易に取り出すことができる。
【００４５】
さらにまた、本実施の形態によれば、キャップ本体１３ｂの囲み部１３ｋ内側に、保形リング１２の水平部１２ｂと嵌合する突起部１３ａが設けられているので、キャップ１３を保形リング１２に取り付けて密封容器１０をリクローズすることができる。
【００４６】
さらにまた、本実施の形態によれば、キャップ１３の中蓋１３ｃの上面部１３ｍは、キャップ本体１３ｂの下面に接着されているので、キャップ本体１３ｂと中蓋１３ｃとが一体となっており、キャップ１３を容器本体１１に被せてリクローズする際に中蓋１３ｃをごみとして廃棄する必要がない。
【００４７】
さらにまた、本実施の形態によれば、キャップ１３の中蓋１３ｃは、多層フィルム構造となっており、最内層１３ｇは、キャップ１３の開封時に破断する材料からなっているので、容器本体１１内の内容物を取り出す際、密封容器１０を簡単に開封することができる。
【００４８】
さらにまた、本実施の形態によれば、キャップ１３の中蓋１３ｃは、アルミニウムを含む多層フィルム構造となっているので、内容物の密封性やバリアー性を高めることができ、内容物を外部から保護して内容物の腐敗を防止することができる。
【００４９】
さらにまた、本実施の形態によれば、キャップ１３のキャップ本体１３ｂは、曲げ弾性率が８００ＭＰａ以下の合成樹脂からなっているので、キャップ１３を保形リング１２から容易に取り外すことができる。
【図面の簡単な説明】
【００５０】
【図１】本発明による密封容器の一実施の形態を示す斜視図。
【図２】本発明による密封容器の一実施の形態を示す垂直断面図。
【図３】図２のＡ部拡大図。
【図４】キャップを取り外した状態における容器本体および保形リングの斜視図。
【図５】キャップの内部構造を示す概略断面図。
【符号の説明】
【００５１】
１０    密封容器
１１    容器本体
１１ａ  一側開口
１２    保形リング
１２ａ  垂直部
１２ｂ  水平部
１２ｃ  テーパー部
１３    キャップ
１３ａ  突起部
１３ｂ  キャップ本体
１３ｃ  中蓋
１３ｅ、１３ｆ、１３ｇ  層
１３ｈ  接着層
１３ｊ  感熱型の粘着材またはホットメルト（ＨＭ）の層
１３ｋ  囲み部
１３ｍ  上面部
１３ｎ  突出部
１４    キャップ装置
１５    ヒートシール部
【図１】
2008062948.tif 000003
【図２】
2008062948.tif 000004
【図３】
2008062948.tif 000005
【図４】
2008062948.tif 000006
【図５】
2008062948.tif 000007